(57)【要約】【課題】温排水の熱の回収における装置の小型化、省スペース化を図ると共に、熱回収率がよく、且つ低コストで購入することが可能な給湯装置の提供を課題とする。【解決手段】上水道等の給水源からの水を湯沸器３０を介して給湯する給湯管路１０と、給水源からの水を湯沸器３０を経ることなく給水する給水管路２０とを備え、給湯管路１０からの温水と給水管路２０からの水とを湯水混合栓５０を介して混合させ或いは混合させることなく供給するように構成した給湯装置であって、給湯管路１０若しくは給水管路２０に、使用済みの温排水の熱を熱交換回収する排熱回収部４０を設け、該排熱回収部４０を経た水を、給湯管路１０若しくは給水管路２０を経て湯水混合栓５０に供給するように構成した。【選択図】      図１
0003149968.tif 000002
【実用新案登録請求の範囲】
【請求項１】
上水道等の給水源からの水を湯沸器を介して給湯する給湯管路と、給水源からの水を前記湯沸器を経ることなく給水する給水管路とを備え、前記給湯管路からの温水と前記給水管路からの水とを湯水混合栓を介して混合させ或いは混合させることなく供給するように構成した給湯装置であって、前記給湯管路若しくは前記給水管路に、使用済みの温排水の熱を熱交換回収する排熱回収部を設け、該排熱回収部を経た水を、前記給湯管路若しくは前記給水管路を経て前記湯水混合栓に供給するように構成したことを特徴とする給湯装置。
【請求項２】
排熱回収部は給水管路の途中位置に設けられ、且つ給水管路の排熱回収部は温排水の配管を包囲し或いは包囲されるように構成されていることを特徴とする請求項１に記載の給湯装置。
【請求項３】
排熱回収部は給湯管路の湯沸器の手前に設けられ、且つ給湯管路の排熱回収部は温排水の配管を包囲し或いは包囲されるように構成されていることを特徴とする請求項１に記載の給湯装置。
【請求項４】
排熱回収部は給水管路の途中位置に設けられ、且つ給水管路の排熱回収部は温排水の流れる浴室若しくはシャワー室の床面下に巡らして構成されていることを特徴とする請求項１に記載の給湯装置。
【請求項５】
湯水混合栓は浴室内若しくはシャワー室内に設けると共にカランとシャワー端末を備えることを特徴とする請求項１〜４の何れかに記載の給湯装置。
【考案の詳細な説明】
【技術分野】
【０００１】
本考案は給湯装置に関し、詳しくは浴室等からの温排水された熱を回収して利用する給湯装置に関する。
【背景技術】
【０００２】
地球環境問題の対応が早急に求められる今日、家庭等で消費される排水等に含まれる熱エネルギーの効率のよい回収方法が求められる。
特開平６−２８８６１５号公報には、湯槽（１４）からの温排水を屋外の排水タンク（２２）に一旦貯め、これをポンプ（２６）によって浴室天井裏に送って、電気温水器の貯湯タンク（４２）に送られる温水を加温する家庭用温排水の熱回収装置が開示されている（特許文献１）。
また特開２００３−４２５３９号公報には、排水バッファタンク（９）に一時的に蓄えられる排水の熱をヒートポンプサイクル（７）で吸収して、貯湯タンク（１）内の水を加熱するようにした温排水熱回収装置が開示されている（特許文献２）。
【先行技術文献】
【特許文献】
【０００３】
【特許文献１】特開平６−２８８６１５号公報
【特許文献２】特開２００３−４２５３９号公報
【考案の概要】
【考案が解決しようとする課題】
【０００４】
従来、浴室等から排水される温排水の熱回収を、効率よく、省スペース、低コストで行える適当な装置があまりなかった。その原因は、熱回収による省エネ効果と設備提供に要するコストが合わないことにあった。また温排水の熱利用による省エネ装置として、家庭用等に利用できるようなコンパクトなものが得難いことにあった。
上記特許文献１に示すような家庭用温排水の熱回収装置の場合、その設置において浴室の天井裏及び屋外の敷地に至る設置スペースと設置工事を必要とするなど、設置場所の確保や購入コストの問題がある。
また特許文献２に示すような温排水熱回収装置の場合、少なくとも２ヶ所の設置スペースと多種装置を必要とするので、やはり設置場所の確保や装置の購入コストの問題がある。
【０００５】
そこで本考案は上記従来技術の問題を解消し、温排水の熱の回収における装置の小型化省スペース化を図ると共に、熱回収率がよく、且つ低コストで購入することが可能な給湯装置の提供を課題とする。
【課題を解決するための手段】
【０００６】
上記課題を達成するため本考案の給湯装置は、上水道等の給水源からの水を湯沸器を介して給湯する給湯管路と、給水源からの水を前記湯沸器を経ることなく給水する給水管路とを備え、前記給湯管路からの温水と前記給水管路からの水とを湯水混合栓を介して混合させ或いは混合させることなく供給するように構成した給湯装置であって、前記給湯管路若しくは前記給水管路に、使用済みの温排水の熱を熱交換回収する排熱回収部を設け、該排熱回収部を経た水を、前記給湯管路若しくは前記給水管路を経て前記湯水混合栓に供給するように構成したことを第１の特徴としている。
また本考案の給湯装置は、上記第１の特徴に加えて、排熱回収部は給水管路の途中位置に設けられ、且つ給水管路の排熱回収部は温排水の配管を包囲し或いは包囲されるように構成されていることを第２の特徴としている。
また本考案の給湯装置は、上記第１の特徴に加えて、排熱回収部は給湯管路の湯沸器の手前に設けられ、且つ給湯管路の排熱回収部は温排水の配管を包囲し或いは包囲されるように構成されていることを第３の特徴としている。
また本考案の給湯装置は、上記第１の特徴に加えて、排熱回収部は給水管路の途中位置に設けられ、且つ給水管路の排熱回収部は温排水の流れる浴室若しくはシャワー室の床面下に巡らして構成されていることを第４の特徴としている。
また本考案の給湯装置は、上記第１〜第４の何れかに記載の特徴に加えて、湯水混合栓は浴室内若しくはシャワー室内に設けると共にカランとシャワー端末を備えることを第５の特徴としている。
【考案の効果】
【０００７】
請求項１に記載の給湯装置によれば、上水道等の給水源からの水を湯沸器を介して給湯する給湯管路と、給水源からの水を前記湯沸器を経ることなく給水する給水管路とを備え、前記給湯管路からの温水と前記給水管路からの水とを湯水混合栓を介して混合させ或いは混合させることなく供給するように構成した給湯装置であって、前記給湯管路若しくは前記給水管路に、使用済みの温排水の熱を熱交換回収する排熱回収部を設け、該排熱回収部を経た水を、前記給湯管路若しくは前記給水管路を経て前記湯水混合栓に供給するように構成したので、
温排水に存在する熱を回収することができる。また回収した熱で水を加温し、これを給湯装置に供給することができる。よって熱排出に伴う無駄なエネルギーロスをなくすと共に、給湯装置の省エネルギーを図ることができる。
加えて、温排水の熱を熱交換回収する排熱回収部を給湯管路若しくは給水管路に設けるようにしたので、温排水の熱を直接的に給湯管路若しくは給水管路に施すことができ、効率のよい熱交換加熱ができると共に、熱交換手段の設備に関する余分な設置スペースやそれに伴う工事費用を低減して、省スペース、低コストの省エネ給湯器を提供することができる。
また排熱回収部で温排水の熱を得た水を、給湯管路若しくは給水管路を経て湯水混合栓に供給するようにしたので、湯水混合栓を経て所望の温度の水を供給することができる。
【０００８】
また請求項２に記載の給湯装置によれば、請求項１に記載の構成による作用効果に加えて、排熱回収部は給水管路の途中位置に設けられ、且つ給水管路の排熱回収部は温排水の配管を包囲し或いは包囲されるように構成されているので、
温排水の熱を給水管路の途中位置において給水管路を通る水に与えて加温することができる。よって湯沸器を用いずに、給水管路からの水だけを湯水混合栓を経て供給する場合でも、その水を冷水ではなく加温されたものとすることができる。よって冬場等における水使用時のメリットが大きい。
また給水管路の排熱回収部は温排水の配管を包囲し或いは包囲されるように構成されているので、熱交換効率のよい加熱が可能となると共に、排熱回収部を温排水との関係において、コンパクトに且つ省スペースで構成することができ、コストの低減につながる。
【０００９】
また請求項３に記載の給湯装置によれば、請求項１に記載の構成による作用効果に加えて、排熱回収部は給湯管路の湯沸器の手前に設けられ、且つ給湯管路の排熱回収部は温排水の配管を包囲し或いは包囲されるように構成されているので、
温排水の熱によって給湯管路の水を湯沸器の手前で加温し、これを湯沸器に供給することができる。このため、湯沸器では既に排熱回収部を経て加温された水を用いて、これを加熱することが可能となる。よって湯沸器での熱エネルギー使用量を減らすことができると共に、より正確な温度の温水を容易に出湯することができる。
また給湯管路の排熱回収部は温排水の配管を包囲し或いは包囲されるように構成されているので、排熱回収部が熱交換効率よく、省スペースでコンパクトに構成された給湯装置を提供することができる。
【００１０】
また請求項４に記載の給湯装置によれば、請求項１に記載の構成による作用効果に加えて、排熱回収部は給水管路の途中位置に設けられ、且つ給水管路の排熱回収部は温排水の流れる浴室若しくはシャワー室の床面下に巡らして構成されているので、
温排水の熱を、給水管路の途中位置において、給水管路を通る水に与えて加温することができる。よって湯沸器を用いずに、給水管路からの水だけを湯水混合栓を経て供給する場合でも、その水を冷水ではなく、加温されたものとすることができる。よって冬場等における水使用時のメリットが大きい。
また給水管路の排熱回収部は温排水の流れる浴室若しくはシャワー室の床面下に巡らして構成されているので、熱交換効率のよい加熱が可能となると共に、浴室等の床面下を利用した、特別なスペースを必要としない排熱回収部をもつ給湯装置を提供することができる。
【００１１】
また請求項５に記載の給湯装置によれば、請求項１〜４の何れかに記載の構成による作用効果に加えて、湯水混合栓は浴室内若しくはシャワー室内に設けると共にカランとシャワー端末を備えているので、
温水使用率の高い浴室内若しくはシャワー室でのカラン使用やシャワー端末使用において、温排水の有する熱を十分有効に利用した温水給湯ができる。
【図面の簡単な説明】
【００１２】
【図１】本考案の第１の実施形態に係る給湯装置の構成を示す図である。
【図２】本考案の第２の実施形態に係る給湯装置の構成を示す図である。
【図３】本考案の第３の実施形態に係る給湯装置の構成を示す図である。
【考案を実施するための形態】
【００１３】
図１を参照して、本考案の第１の実施形態に係る給湯装置を説明する。
この給湯装置は給湯管路１０、給水管路２０、湯沸器３０、排熱回収部４０、湯水混合栓５０を備える。
【００１４】
前記給湯管路１０と給水管路２０とには、図示しない上水道等の給水源からの水が供給されることになる。
前記給湯管路１０にはその途中に湯沸器３０が設けられている。湯沸器３０は貯湯式の湯沸器でも瞬間加熱式の湯沸器でもよい。
一方、前記給水管路２０には、排熱回収部４０が設けられている。
前記湯水混合栓５０は浴室Ｂに設けている。浴室の代わりにシャワー室であってもよい。
【００１５】
図示しない給水源から給湯管路１０に導かれた水は、湯沸器３０を経て加熱され（加熱されない場合もある）、更に給湯管路１０を通って湯水混合栓５０に供給される。
一方、図示しない給水源から給水管路２０に導かれた水は、そのまま湯水混合栓５０に供給される。
湯水混合栓５０には、カラン５１、シャワー端末５２が設けられ、一対の水量調節ハンドル５３、５４が設けられている。またカラン５１とシャワー端末５２との水路切替レバー５５が設けられている。
前記水量調節ハンドル５３、５４を操作することで、給湯管路１０からの水量と給水管路２０からの水量を調節して混合することができる。勿論、給湯管路１０からの給湯のみ或いは給水回路２０からの給水のみを行うこともできる。また水路切替レバー５５の切り替えで、カラン５１かシャワー端末５２かに水路を変更することができる。
【００１６】
前記浴室Ｂには、当然ながら、その室内の床面６０に温排水を排水するための排水口６１が設けられ、使用済みの温排水を排水するための配管、即ち温排水配管６２が接続されている。
【００１７】
本第１の実施形態の給湯装置では、前記給水管路２０の途中位置に排熱回収部４０を設けて、前記温排水配管６２を流れる温排水の熱を熱交換回収する構成を採用している。
排熱回収部４０は、本実施形態では、温排水配管６２を一定の長さに亘って包囲するように構成している。より具体的には、外管をなす排熱回収部４０の中を内管をなす温排水配管６２が２重管状の２重構造に貫通する構成とされている。
排熱回収部４０の管径は他の給水管路２０の管径２０よりも大きくされている。
なお、外管をなす排熱回収部４０内での給水の流れと温排水配管６２内での温排水の流れは相互に逆方向になるようにしている。が、同方向であってもよい。
前記排熱回収部４０は、温排水配管６２内を流れる温排水の熱を十分に回収できるように、ジグザグ状態に配管された温排水配管６２を収容する幅広の偏平状の管、容器であってもよい。
【００１８】
また前記排熱回収部４０は、前記温排水配管６２で包囲されるように構成してもよい。即ち、温排水配管６２内を排熱回収部４０をなす内管が通るようにした２重管状の２重構造にすることも可能である。本考案はこのような構成も、その技術的範囲に含まれる。
要するに排熱回収部４０は、その中を通る給水と温排水配管６２内の温排水とが混じることがないように構成されると共に、温排水配管６２との間において十分密接で広い熱接触関係を持つような構成とされればよく、その具体的構成が特に限定されるものではない。
【００１９】
第１の実施形態の給湯装置では、給水管路２０を通る水が、その途中の排熱回収部４０において、温排水の熱を吸収して加温される。そして湯水混合栓５０の水側の調節ハンドル５３が開放方向に操作されることで、湯水混合栓５０に供給され、カラン５１若しくはシャワー端末５２に流れる。
【００２０】
図２を参照して、本考案の第２の実施形態を説明する。
本実施形態に係る給湯装置では、上記第１の実施形態における排熱回収部４０に対応する排熱回収部１４０を、給湯装置の給湯管路１０側に設けている。
つまり排熱回収部１４０は、給湯管路１０の湯沸器３０の手前、即ち湯沸器３０の入水側に設けられる。
第２の実施形態の給湯装置の他の構成は、上述した第１の実施形態の給湯装置の場合と同じである。また排熱回収部１４０そのものの構成は、第１の実施形態の給湯装置における排熱回収部４０について既述した構成と同じである。
【００２１】
第２の実形態の給湯装置では、給湯管路１０を通る水が、その途中の排熱回収部１４０において、温排水の熱を吸収して加温される。そして湯水混合栓５０の湯水側の調節ハンドル５４が開放方向に操作されることで、湯水混合栓５０に供給され、カラン５１若しくはシャワー端末５２に流れる。
【００２２】
図３を参照して、本考案の第３の実施形態を説明する。
第３の実施形態に係る給湯装置では、排熱回収部２４０を、給水管路２０の途中に位置に設けている。この点は上記第１の実施形態の給湯装置の場合と同じである。
しかしながら本第３実施形態の給湯装置では、排熱回収部２４０を浴室Ｂの床面６０下に巡らして構成している。即ち床面６０の直ぐ下に、給水配管２０の途中をジグザグに蛇行するようにして配置することで排熱回収部２４０としている。
本実施形態に係る給湯装置では、給水源からの水は、給水管路２０の途中の排熱回収部２４０において、浴室Ｂの床面６０の温排水の熱を吸収して加温される。そして湯水混合栓５０の水側の調節ハンドル５３が開放方向に操作されることで、湯水混合栓５０に供給され、カラン５１若しくはシャワー端末５２に流れる。
本第３の実施形態に係る給湯装置の場合、浴室Ｂでの温水の使用頻度が高く、床面６０が温水で加温されやすいので、床面６０の下に給水管路２０の排熱回収部２４０を巡らすことで、浴室Ｂで使用された温水の排熱を効率よく回収することができる。また排熱回収部２４０は浴室Ｂの床面６０の直ぐ下に設けられることから、スペースを余分に必要としないので省スペースであり、また低コスト化が可能である。
【符号の説明】
【００２３】
１０    給湯管路
２０    給水管路
３０    湯沸器
４０    排熱回収部
５０    湯水混合栓
５１    カラン
５２    シャワー端末
５３    調節ハンドル
５４    調節ハンドル
５５    水路切替レバー
６０    床面
６１    排水口
６２    温排水配管
１４０  排熱回収部
２４０  排熱回収部
Ｂ      浴室
【図１】
0003149968.tif 000003
【図２】
0003149968.tif 000004
【図３】
0003149968.tif 000005